(57)【要約】【課題】ベルトの曲げ伸ばしをなくし、ワンタッチで素早くベルトを確実に装着ならびに固定と、脱着ができ、かつ安価で長寿命のバックルを提供することができる。【解決手段】垂直軸３本と、水平軸２本のつなぎ目の無い環状のバックルに、左右対称に２箇所の間隙と、ベルトの接圧面を拡大させるための楕円状に形成された３本の垂直軸と、ベルトを装着しやすい曲面構造を備え、２箇所の間隙からベルトをワンタッチで素早く装着ならびに固定ができ、また、ワンタッチで素早く脱着できる機能を特徴とするバックルとした。【選択図】図５
0003208310.tif 000002
【実用新案登録請求の範囲】
【請求項１】
バックルの上部に２箇所の間隙を設け、ベルトの着脱用として構成されたことを特徴とするバックル。
【請求項２】
請求項１の記載のバックルにおいて、
前記バックルに固定されるベルトを備えることを特徴とするバックル。
【考案の詳細な説明】
【技術分野】
【０００１】  本考案は、ベルトの着脱を容易にし、かつ損傷を極力低減できるバックルに関する。
【背景技術】
【０００２】  従来のバックルは、金属や樹脂などを環状またはガイドレール状にしたもので構成されており、使用する際にはベルトを環状またはガイドレール状のバックルに通して使用していた。【０００３】  しかしながら、従来の環状またはガイドレール状のバックルにベルトを着脱する際、ベルトを大きく曲げ伸ばしすることになり、繰り返し使用することにより傷、剥離といった損傷を受け、ベルト寿命を縮めるといった問題点があった。【０００４】  図９は従来技術の一つであるピンバックルの説明図であり、環状のバックルにベルトを通して装着する。１００は、ピンバックルであり、取り付けるにあたりベルト５００を環状のバックル１０１の第１の挿入口１０３に挿入し、所定の位置にピン１０２を固定し、挿入口１０３とは別の第２の挿入口１０４に挿入してベルト５００を装着するというものである。【０００５】  続いて、このようなベルトを着脱するバックルに関する他の従来技術を説明する。例えば、特許文献１（特開２０１３−１３８７９６号公報、発明の名称「ベルト用バックル」）に記載の発明も知られている。特許文献１の図３に示す発明では、バックルの底板に設置されている爪とベース部で、挿入口から挿入されたベルトを固定し、ベルトを装着するというものである。
【先行技術文献】
【特許文献】
【０００６】
【特許文献１】特開２０１３−１３８７９６
【考案の概要】
【考案が解決しようとする課題】
【０００７】  しかしながら、上記図９のピンバックルや特許文献１のベルト用バックルも問題点を有するものであった。まず、従来技術のピンバックルは、その歴史も古く、広く採用されてきた。装着方法は、ベルト５００を胴にまわし、第１の挿入口１０３にベルト５００を挿入する。次に、所定の位置にピン１０２を固定し、第１の挿入口１０３とは別の第２の挿入口１０４にベルト５００を挿入して装着を完了することが一般的である。このとき、第２の挿入口１０４に収納する際と取り外す際にベルト５００に大きな曲げが発生する問題点があった。【０００８】  また、特許文献１に記載の従来技術でも、ベルトを装着する際に、ベースを開放して挿入口からベルトを挿入し、ベースを閉じて爪で固定するものであって、ベースを開放した際の挿入口に対し、ベルトを急角度に曲げて挿入しなければならない問題点があった。【０００９】  このように、ベルトは全国多数、日常的に使用されており、バックルにも種々のものが採用されている。いずれの従来方式においてもベルトを大きく曲げ伸ばしして装着することになる。また、一枚革の丈夫なベルトも存在しているが、デザイン、コスト等の面から何層かに張り合わせたベルトも多く存在している。このため、曲げ伸ばしの繰り返しにより曲げ伸ばしの集中箇所に傷、剥離といった損傷を受け、ベルト寿命を縮めるといった問題点があった。【００１０】  本考案は、上記のような問題に鑑みてなされたものであり、その目的はベルトの大きな曲げ伸ばしをなくし、ワンタッチで素早くベルトを確実に装着ならびに固定と、脱着ができ、かつ安価で長寿命のバックルを提供することにある。
【課題を解決するための手段】
【００１１】  上記課題を解決するため、請求項１に係わる考案は、
垂直軸３本と、水平軸２本のつなぎ目の無い環状のバックルに、左右対称に２箇所の間隙と、ベルトの接圧面を拡大させるための楕円状に形成された３本の垂直軸と、ベルトを装着しやすい曲面構造を備え、２箇所の間隙からベルトをワンタッチで素早く装着ならびに固定ができ、また、ワンタッチで素早く脱着できる機能を特徴とするバックルとした。【００１２】  また、請求項２に係わる考案は、
請求項１の記載のバックルにおいて、
前記バックルに固定されるベルトを備えることを特徴とするバックルとした。
【考案の効果】
【００１３】  このような考案によれば、ベルトの曲げ伸ばしをなくし、ワンタッチで素早くベルトを確実に装着ならびに固定と、脱着ができ、かつ安価で長寿命のバックルを提供することができる。
【図面の簡単な説明】
【００１４】
【図１】本考案を実施するための第１の考案斜視外観図である。
【図２】本考案を実施するための第１の考案正面から見た図である。
【図３】本考案を実施するための第１の考案上面から見た図である。
【図４】本考案を実施するための第１の考案上面から見た断面図である。
【図５】本考案を実施するための第１及び第２の考案の実施例を示す斜視図である。
【図６】本考案を実施するための第１及び第２の考案の実施経過例を示す斜視図である。
【図７】本考案を実施するための第１及び第２の考案の実施経過例を示す斜視図である。
【図８】本考案を実施するための第１及び第２の考案の実施例を示す上面図である。
【図９】従来技術のバックルの説明図である。
【考案を実施するための形態】
【００１５】  続いて、本考案を実施するための形態について、図１〜８を参照しつつ説明する。バックル１は、図１、図２で示すように、上部２ａ、２ｂはベルト厚みを考慮して装着人体側にハの字にカットされている。さらに、上部２ａ、２ｂは左右対称になるようにカットされている。
【００１６】  図３はバックル１を上面から見た図であり、適切な曲面構造３ａ、３ｂ、３ｃを有することでベルト１０をスムーズにスライドさせて装着できる。
【００１７】  図４はバックル１のＡ−Ａ’断面図であり、垂直軸４ａ、４ｂ、４ｃは楕円状に形成されており、ベルト１０との接圧面が拡大し、装着人体側にベルト１０が傷つくことなく、滑らか、かつ、強固に固定できる。
【実施例】
【００１８】  続いて装着方法と実施例について説明する。バックル１には、図５で示すように、ベルト１０の片端末を備えている。装着するときには、ベルトを胴に回し、適切な位置でバックル１のハの字にカットされている２ａ、２ｂに、上部よりスライドさせ、固定時の調整は、ベルト１０を先端方向にスライドさせることで、簡単かつベルト１０に大きな曲げを生じさせずに装着することができる。図６はベルト１０の装着途中、図７はベルト１０の装着完了後の状態を示した図である。また、バックル１は、ベルトを装着した際に、ベルトの接圧を利用してベルト装着時の固定を保持するように構成されている。図８はベルト１０の装着完了後の状態を上面から見た図である。
【産業上の利用可能性】
【００１９】  以上のような本考案のバックルは、ベルトの曲げ伸ばしをなくし、ワンタッチで素早くベルトを確実に固定でき、かつ安価でベルトの長寿命化を実現しており、用途に応じた選択を可能とし、産業上利用価値を高めている。
【符号の説明】
【００２０】１：バックル
２ａ，２ｂ：間隙
３ａ，３ｂ，３ｃ：曲面構造
４ａ，４ｂ，４ｃ：垂直軸の楕円状
１０：ベルト
１００：ピンバックル
１０１：バックル
１０２：ピン
１０３：第１の挿入口
１０４：第２の挿入口
５００：ベルト
【図１】
0003208310.tif 000003
【図２】
0003208310.tif 000004
【図３】
0003208310.tif 000005
【図４】
0003208310.tif 000006
【図５】
0003208310.tif 000007
【図６】
0003208310.tif 000008
【図７】
0003208310.tif 000009
【図８】
0003208310.tif 000010
【図９】
0003208310.tif 000011